(57)【要約】【課題】正確にかつ低コストで施設内に定められた各エリアの在室人数をカウントする。【解決手段】施設内に定められた各エリアにそのエリアのエリア情報を含むタグ情報を記憶させたＮＦＣタグ１を設置する。ＮＦＣタグ１に記憶されているタグ情報をスマートフォン２で読み取る。スマートフォン２は、読み取ったタグ情報に含まれているエリア情報に自己の端末情報を付加し、在室人数カウント情報として在室人数カウント装置３に送信する。在室人数カウント装置３は、スマートフォン２からの在室人数カウント情報に含まれている端末情報およびエリア情報によってタグ情報を読み取った端末およびその端末が位置しているエリアを特定し、特定した端末およびエリアに基づいてその特定されたエリアの在室人数をカウントする。【選択図】  図１
2016023808.tif 000002
【特許請求の範囲】
【請求項１】
施設内に定められた各エリアに設置され、その設置されるエリアのエリア情報を含む情報がタグ情報として記憶されたタグと、
このタグに記憶されているタグ情報を読み取り、その読み取ったタグ情報に含まれているエリア情報に自己の端末情報を付加し、この自己の端末情報を付加したエリア情報を在室人数カウント情報として在室人数カウント装置へ送信する携帯端末とを備え、
前記在室人数カウント装置は、
前記携帯端末から送信されてくる在室人数カウント情報を受信する在室人数カウント情報受信手段と、
前記在室人数カウント情報受信手段によって受信された在室人数カウント情報に含まれている端末情報およびエリア情報によって前記タグ情報を読み取った端末およびその端末が位置しているエリアを特定する端末＆エリア特定手段と、
前記端末＆エリア特定手段によって特定された端末およびエリアに基づいてその特定されたエリアの在室人数をカウントする在室人数カウント手段と
を備えることを特徴とする在室人数カウントシステム。
【請求項２】
請求項１に記載された在室人数カウントシステムにおいて、
前記在室人数カウント手段は、
前記端末＆エリア特定手段によって特定された今回の端末およびエリアの組み合わせが一定時間内に既に特定された組み合わせであるか否かを確認し、一定時間内に既に特定された組み合わせでなかった場合にのみ、そのエリアの在室人数のカウント値を１アップする
ことを特徴とする在室人数カウントシステム。
【請求項３】
請求項２に記載された在室人数カウントシステムにおいて、
前記在室人数カウント手段は、
前記在室人数のカウント値を１アップした端末およびエリアの組み合わせが、前記一定時間よりも長い所定時間継続して特定されなかった場合、そのエリアの在室人数のカウント値を１ダウンする
ことを特徴とする在室人数カウントシステム。
【請求項４】
施設内に定められた各エリアに設置されるタグに、その設置されるエリアのエリア情報を含む情報をタグ情報として記憶させるタグ情報記憶ステップと、
前記タグに記憶されているタグ情報を携帯端末によって読み取るタグ情報読取ステップと、
前記携帯端末から、前記読み取ったタグ情報に含まれているエリア情報に自己の端末情報を付加し、この自己の端末情報を付加したエリア情報を在室人数カウント情報として送信する在室人数カウント情報送信ステップと、
前記携帯端末から送信されてくる在室人数カウント情報を受信する在室人数カウント情報受信ステップと、
前記在室人数カウント情報受信ステップによって受信された在室人数カウント情報に含まれている端末情報およびエリア情報によって前記タグ情報を読み取った端末およびその端末が位置しているエリアを特定する端末＆エリア特定ステップと、
前記端末＆エリア特定ステップによって特定された端末およびエリアに基づいてその特定されたエリアの在室人数をカウントする在室人数カウントステップと
を備えることを特徴とする在室人数カウント方法。
【請求項５】
請求項４に記載された在室人数カウント方法において、
前記在室人数カウントステップは、
前記端末＆エリア特定ステップによって特定された今回の端末およびエリアの組み合わせが一定時間内に既に特定された組み合わせであるか否かを確認し、一定時間内に既に特定された組み合わせでなかった場合にのみ、そのエリアの在室人数のカウント値を１アップする
ことを特徴とする在室人数カウント方法。
【請求項６】
請求項５に記載された在室人数カウント方法において、
前記在室人数カウントステップは、
前記在室人数のカウント値を１アップした端末およびエリアの組み合わせが、前記一定時間よりも長い所定時間継続して特定されなかった場合、そのエリアの在室人数のカウント値を１ダウンする
ことを特徴とする在室人数カウント方法。
【発明の詳細な説明】
【技術分野】
【０００１】
この発明は、施設内に定められた各エリアの在室人数をカウントする在室人数カウントシステムおよび方法に関するものである。
【背景技術】
【０００２】
従来より、施設内に定められた各エリアの在室人数をカウントし、このカウントした各エリアの在室人数に基づいて各エリアの空調を制御するようにしたシステムが提案されている。
【０００３】
例えば、特許文献１には、オフィスビル、ホテル、病院、住居などの各種建物における空調エリアの換気量を在室人数に応じて制御する空気調和システムが示されている。
【０００４】
この特許文献１に示された空気調和システムでは、分電盤に接続されたコンセントの消費電力が空調エリア内に設けられているパーソナルコンピュータ（以下、パソコンと略す）の使用台数に比例することを利用し、コンセントの消費電力をパソコンの１台当たりの消費電力で除算して空調エリアの在室人数を算出し、この算出した在室人数と予め定められた一人当たりの換気量とから空調エリア内の必要換気量を求め、この求めた必要換気量が得られるように空調エリアに付設された換気装置の風量を決定するようにしている。
【０００５】
また、特許文献２には、管理エリアに存在する人の人数に応じた空調制御を行う施設管理システムが示されている。この特許文献２に示された施設管理システムでは、施設内の各管理エリアについて、カードリーダから送られてくるＩＤカードの情報に基づいて人の入退室を管理するとともに、その入退室の管理情報から各管理エリアの在室人数をリアルタイムに更新し、この更新される各管理エリアの在室人数に基づいて、各管理エリアにおける外気の取り入れ量を自動調整するようにしている。
【先行技術文献】
【特許文献】
【０００６】
【特許文献１】特開２０１１−１３７５９５号公報
【特許文献２】特開２０１２−２０７８７７号公報
【発明の概要】
【発明が解決しようとする課題】
【０００７】
しかしながら、上述した特許文献１に示された空気調和システムでは、コンセントの消費電力を基に空調エリアの在室人数を算出するようにしているため、パソコンとは別の機器の消費電力がコンセントの消費電力の測定値に含まれることがあり、正確に空調エリアの在室人数をカウントすることができないという問題があった。
【０００８】
また、上述した特許文献２に示された施設管理システムでは、各管理エリアにカードリーダを設置しなければならず、１台につき数万円の導入コストがかかる。なお、入口や椅子などにセンサを取り付けることも考えられるが、このような場合でもセンサを複数台必要とし、多額のコストがかかってしまう。また、このようなコスト面の課題だけではなく、メンテナンスのコストも必要となる。
【０００９】
本発明は、このような課題を解決するためになされたもので、その目的とするところは、正確にかつ低コストで、施設内に定められた各エリアの在室人数をカウントすることが可能な在室人数カウントシステムおよび方法を提供することにある。
【課題を解決するための手段】
【００１０】
このような目的を達成するために本発明は、施設内に定められた各エリアに設置され、その設置されるエリアのエリア情報を含む情報がタグ情報として記憶されたタグと、このタグに記憶されているタグ情報を読み取り、その読み取ったタグ情報に含まれているエリア情報に自己の端末情報を付加し、この自己の端末情報を付加したエリア情報を在室人数カウント情報として在室人数カウント装置へ送信する携帯端末とを備え、在室人数カウント装置は、携帯端末から送信されてくる在室人数カウント情報を受信する在室人数カウント情報受信手段と、在室人数カウント情報受信手段によって受信された在室人数カウント情報に含まれている端末情報およびエリア情報によってタグ情報を読み取った端末およびその端末が位置しているエリアを特定する端末＆エリア特定手段と、端末＆エリア特定手段によって特定された端末およびエリアに基づいてその特定されたエリアの在室人数をカウントする在室人数カウント手段とを備えることを特徴とする。
【００１１】
この発明では、施設内に定められた各エリアに、そのエリアのエリア情報を含む情報がタグ情報として記憶されたタグを設置する。例えば、タグとして、ＮＦＣ（Near Field Communication）タグを設置する。ＮＦＣタグについては後述する。そして、携帯端末として例えばスマートフォンを用い、エリアに設置されているタグからタグ情報を読み取り、その読み取ったタグ情報に含まれているエリア情報に自己の端末情報を付加し、在室人数カウント情報として在室人数カウント装置へ送信する。
【００１２】
在室人数カウント装置は、携帯端末から送信されてくる在室人数カウント情報を受信し、この受信した在室人数カウント情報に含まれている端末情報およびエリア情報によってタグ情報を読み取った端末およびその端末が位置しているエリアを特定する。そして、この特定した端末およびエリアに基づいて、その特定したエリアの在室人数をカウントする。
【００１３】
この場合、例えば、特定した今回の端末およびエリアの組み合わせが一定時間内に既に特定した組み合わせであるか否かを確認し、一定時間（例えば、１０分）内に既に特定した組み合わせでなかった場合にのみ、そのエリアの在室人数のカウント値を１アップするようにする。このようにすると、同一エリアでの同じ携帯端末からの連続入力による誤カウントを防止することが可能となる。
【００１４】
また、例えば、在室人数のカウント値を１アップした端末およびエリアの組み合わせが、上記の一定時間よりも長い所定時間（例えば、８時間）継続して特定されなかった場合、そのエリアの在室人数のカウント値を１ダウンするようにする。このようにすると、そのエリアから人が出て行く際にカウントダウンの操作を行わなくても、所定時間経過後、自動的にそのエリアの在室人数のカウント値が１ダウンするものとなる。
【発明の効果】
【００１５】
本発明によれば、施設内に定められた各エリアに設置されるタグに、その設置されるエリアのエリア情報を含む情報をタグ情報として記憶させ、このタグに記憶されているタグ情報を携帯端末によって読み取り、携帯端末から、読み取ったタグ情報に含まれているエリア情報に自己の端末情報を付加して在室人数カウント情報として在室人数カウント装置に送信するようにし、在室人数カウント装置において、携帯端末から送信されてくる在室人数カウント情報に含まれている端末情報およびエリア情報によってタグ情報を読み取った端末およびその端末が位置しているエリアを特定し、この特定した端末およびエリアに基づいてその特定したエリアの在室人数をカウントするようにしたので、タグとしてＮＦＣタグを、携帯端末としてスマートフォンを用いるようにし、正確にかつ低コストで、施設内に定められた各エリアの在室人数をカウントすることが可能となる。
【図面の簡単な説明】
【００１６】
【図１】本発明に係る在室人数カウントシステムの一実施の形態の要部を示す図である。
【図２】この在室人数カウントシステムにおけるＮＦＣタグの設置例を示す図である。
【図３】この在室人数カウントシステムにおけるスマートフォンのＮＦＣタグからのタグ情報の読み取り時の動作を説明するためのフローチャートである。
【図４】この在室人数カウントシステムにおける在室人数カウント装置のスマートフォンからの在室人数カウント情報受信時の動作を説明するためのフローチャートである。
【図５】在室人数カウント装置における各エリアの在室人数の表示例を示す図である。
【図６】図５に示した表示例においてＡエリアの在室人数が更新された状態を示す図である。
【発明を実施するための形態】
【００１７】
以下、本発明の実施の形態を図面に基づいて詳細に説明する。図１は本発明に係る在室人数カウントシステムの一実施の形態の要部を示す図である。
【００１８】
図１において、１はタグ、２は携帯端末、３は在室人数カウント装置である。本実施の形態において、タグ１としてはＮＦＣタグを用い、携帯端末２としてはスマートフォンを用いている。以下、タグ１をＮＦＣタグ、携帯端末２をスマートフォンと呼び変える。
【００１９】
ＮＦＣ（Near Field Communication）は、十数ｃｍの至近距離でデータ通信を行う近距離無線通信の国際標準の１つであり、２００３年１２月にISO/IEC18092として勧告された近距離通信方式である。この近距離通信方式であるＮＦＣは、ソニーの「ＦｅｌｉＣａ（登録商標）」とNXP Semiconductors社（Philips社から独立）の「Ｍｉｆａｒｅ（登録商標）」を元に策定され、両方式の上位互換となっている。また、これらの様々な方式を含む近距離無線通信技術の総称としてＮＦＣという用語が用いられることもある。
【００２０】
ＮＦＣは１３.５６ＭＨｚの電波を使い、１０ｃｍ程度のごく近距離で１００〜４００ｋｂｐｓの双方向通信が可能であり、機器同士を「かざす」ように近づけるだけで通信ができる。このＮＦＣの通信技術を用いたＮＦＣタグは、パッシブ型無線タグと同様に、ＮＦＣタグのリーダ／ライタから非接触で供給される電力で動作し、情報蓄積容量は無線タグに比べてかなり大容量であり、複数のコンテンツ情報を蓄積できる。
【００２１】
また、スマートフォンは、近年その普及がめざましい携帯端末である。スマートフォンの利用者は、年々増加傾向にあり、日本の人口に対する普及率が２０１１年で９.５％、２０１２年で１８％、２０１３年で２８.２％と増加している（日経ＢＰコンサルティング調べ）。近年のスマートフォンは、そのほとんどに、ＮＦＣタグのリーダ機能が搭載されている。
【００２２】
本実施の形態では、ＮＦＣタグ１を施設内に定められた各エリアに設置する。また、ＮＦＣタグ１に、その設置されるエリアのエリア情報を含む情報をタグ情報として記憶させる。図２にＮＦＣタグ１の設置例を示す。この例では、施設内のＡエリア（会議室Ａ）、Ｂエリア（会議室Ｂ）、Ｃエリア（執務室１）、Ｄエリア（執務室２）に、複数のＮＦＣタグ１を設置している。
【００２３】
Ａエリアに設置したＮＦＣタグ１には、このＮＦＣタグ１が設置されているエリアがＡエリアであることを示すエリア情報が記憶されており、Ｂエリアに設置したＮＦＣタグ１には、このＮＦＣタグ１が設置されているエリアがＢエリアであることを示すエリア情報が記憶されている。同様に、Ｃエリアに設置したＮＦＣタグ１には、このＮＦＣタグ１が設置されているエリアがＣエリアであることを示すエリア情報が記憶されており、Ｄエリアに設置したＮＦＣタグ１には、このＮＦＣタグ１が設置されているエリアがＤエリアであることを示すエリア情報が記憶されている。
【００２４】
また、本実施の形態において、在室人数カウント装置３は、プロセッサや記憶装置からなるハードウェアと、これらのハードウェアと協働して各種機能を実現させるプログラムとによって実現され、在室人数カウント情報受信部３−１と、端末＆エリア特定部３−２と、在室人数カウント部３−３と、在室人数表示部３−４と、レイアウト情報記憶部３−５とを備えている。
【００２５】
この在室人数カウント装置３において、端末＆エリア特定部３−２は、端末特定部３−２１とエリア特定部３−２２とを備えている。また、室内レイアウト情報記憶部３−５には、ＮＦＣタグ１が設置されている施設のレイアウト情報、すなわち図２に例示したようなＮＦＣタグ１が設置されている施設における各エリアのレイアウト情報が記憶されている。
【００２６】
以下、図３および図４に示すフローチャートを参照して、在室人数カウント装置３における各部の機能を交えながら、この在室人数カウントシステムにおける特有の動作について説明する。
【００２７】
図２において、例えば、Ａエリアに入った利用者は、自己が保有しているスマートフォン２をＮＦＣタグ１にタッチする。すると、スマートフォン２は、ＮＦＣタグ１から送られてくるタグ情報を受信し（図３：ステップＳ１０１のＹＥＳ）、このタグ情報に含まれているエリア情報に自己の端末情報を付加し、この自己の端末情報を付加したエリア情報を在室人数カウント情報として在室人数カウント装置３へ送信する（ステップＳ１０２）。
【００２８】
在室人数カウント装置３において、スマートフォン２から送信されてくる在室人数カウント情報（端末情報＋エリア情報）は、在室人数カウント情報受信部３−１で受信される。在室人数カウント情報受信部３−１は、スマートフォン２からの在室人数カウント情報を受信すると（図４：ステップＳ２０１のＹＥＳ）、その受信した在室人数カウント情報を端末情報とエリア情報とに分離し（ステップＳ２０２）、その分離した端末情報とエリア情報を端末＆エリア特定部３−２に送る。
【００２９】
端末＆エリア特定部３−２において、端末特定部３−２１は、在室人数カウント情報受信部３−１から送られてくる端末情報によって、ＮＦＣタグ１からタグ情報を読み取った端末を特定する（ステップＳ２０３）。すなわち、ＮＦＣタグ１からタグ情報を読み取ったスマートフォン２を特定する。
【００３０】
また、端末＆エリア特定部３−２において、エリア特定部３−２２は、在室人数カウント情報受信部３−１から送られてくるエリア情報によって、ＮＦＣタグ１からタグ情報を読み取った端末が位置しているエリアを特定する（ステップＳ２０４）。すなわち、ＮＦＣタグ１からタグ情報を読み取ったスマートフォン２が位置しているエリアを特定する。この例では、スマートフォン２が位置しているエリアとして、Ａエリアが特定される。
【００３１】
端末＆エリア特定部３−２は、端末特定部３−２１で特定した端末と、エリア特定部３−２２で特定したエリアを、在室人数カウント部３−３へ送る。在室人数カウント部３−３は、端末＆エリア特定部３−２から送られてくる端末およびエリアに基づいて、その特定されたエリアの在室人数をカウントする。
【００３２】
この場合、在室人数カウント部３−３は、一定時間ＴＣ（例えば、ＴＣ＝１０分）内に同一エリアに位置する同一端末からの在室人数カウント情報を受信済みか否かを確認する（ステップＳ２０５）。すなわち、端末＆エリア特定３−２によって特定された今回の端末およびエリアの組み合わせについて、その組み合わせが一定時間ＴＣ内に既に特定された組み合わせであるか否かを確認する。
【００３３】
ここで、一定時間ＴＣ内に同一エリアに位置する同一端末からの在室人数カウント情報を受信済みでなければ（ステップＳ２０５のＮＯ）、すなわち特定した今回の端末およびエリアの組み合わせが一定時間ＴＣ内に既に特定した組み合わせでなければ、その特定されたエリアの在室人数を＋１する（ステップＳ２０６）。この例では、Ａエリアの在室人数のカウント値を１アップする。
【００３４】
そして、在室人数カウント部３−３は、このカウント値を１アップしたＡエリアの在室人数を在室人数表示部３−４へ送る。在室人数表示部３−４は、在室人数カウント部３−３からのＡエリアの在室人数を受けて、Ａエリアの在室人数の表示を更新する（ステップＳ２０７）。
【００３５】
すなわち、在室人数表示部３−４は、その直前の状態として、それまでに送られてきた在室人数カウント部３−３からのエリア毎の在室人数を受けて、レイアウト情報記憶部３−５に記憶されているレイアウト情報を下地として、各エリアの在室人数の表示を行っている。図５にその表示例を示す。在室人数表示部３−４は、カウント値が１アップされたＡエリアの在室人数を受けると、図６にその表示例を示すように、Ａエリアの在室人数の表示を更新する。
【００３６】
なお、在室人数カウント部３−３は、一定時間ＴＣ内に同一エリアに位置する同一端末からの在室人数カウント情報を受信済みであることを確認すると（ステップＳ２０５のＹＥＳ）、すなわち特定した今回の端末およびエリアの組み合わせが一定時間ＴＣ内に既に特定した組み合わせと同じであれば、その特定されたエリアの在室人数のカウントアップは行わない。このため、在室人数表示部３−４は、在室人数の表示の更新は行わず、表示されている各エリアの在室人数は変わらない。これにより、同一エリアでの同じスマートフォン２からの連続入力による誤カウントが防止される。
【００３７】
このようにして、本実施の形態では、タグ１として数十円／枚とコストの安いＮＦＣタグを、携帯端末２として手持ちのスマートフィンを用いるようにし、正確にかつ低コストで、施設内に定められた各エリアの在室人数をカウントすることができるようになる。
【００３８】
なお、上述した実施の形態において、例えば、在室人数カウント部３−３に、在室人数のカウント値を１アップした端末およびエリアの組み合わせが、一定時間ＴＣよりも長い所定時間ＴＸ（例えば、ＴＸ＝８時間）継続して特定されなかった場合、そのエリアの在室人数のカウント値を１ダウンする機能を設けるようにしてもよい。
【００３９】
例えば、Ａエリアの在室人数のカウント値を１アップした後、そのカウント値を１アップしたスマートフォン２から所定時間ＴＸが過ぎてもＡエリアにおいて在室人数カウント情報が送られてこなかった場合、そのＡエリアの在室人数のカウント値を１ダウンするようにする。
【００４０】
このような機能を設けると、利用者は、会議を終えて、Ａエリアから出て行く際に、カウントダウンの操作を行わなくても、所定時間ＴＸの経過後、自動的にＡエリアの在室人数のカウント値が１ダウンされるものとなる。
【００４１】
また、上述した実施の形態では、各エリアでカウントした在室人数を表示するようにしたが、各エリアでカウントした在室人数に応じ、人が多いエリアでは空調負荷を上げ、少ないエリアでは空調負荷を下げるなどして、省エネルギー効果や快適性を得るようにしてもよい。また、各エリアでカウントした在室人数に応じ、空調の設定温度を変更したり、照明の照度を変更したりするなどしてもよい。
【００４２】
また、ある空間での在室人数が動的に変わるような場合、例えば会議等で一時的に席を離れるような場合、次の例のようにして在室人数をカウントすることで、動的な人数の増減に対応するようにしてもよい。
（１）ＡさんがＸエリアでＮＦＣタグにタッチすると、Ｘエリアの在室人数が＋１になる。
（２）ＡさんがＹエリアに移動し、ＹエリアでＮＦＣタグにタッチすると、Ｙエリアの在室人数が＋１になる。
（３）ＡさんがＹエリアでＮＦＣタグにタッチした後、ＡさんがＸエリアでタッチしてからの時間が所定時間経過すると、ＡさんはＸエリアから離れたと判断され、Ｘエリアの在室人数が−１になる。
（４）ＡさんがＸエリアに戻り、ＸエリアでＮＦＣタグにタッチすると、Ｘエリアの在室人数が＋１になる。
（５）ＡさんがＸエリアでＮＦＣタグにタッチした後、ＡさんがＹエリアでタッチしてからの時間が所定時間経過すると、ＡさんはＹエリアから離れたと判断され、Ｘエリアの在室人数が−１になる。
【００４３】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４４】
１…タグ（ＮＦＣタグ）、２…携帯端末（スマートフォン）、３…在室人数カウント装置、３−１…在室人数カウント情報受信部、３−２…端末＆エリア特定部、３−２１…端末特定部、３−２２…エリア特定部、３−３…在室人数カウント部、３−４…在室人数表示部、３−５…レイアウト情報記憶部。
【図１】
2016023808.tif 000003
【図２】
2016023808.tif 000004
【図３】
2016023808.tif 000005
【図４】
2016023808.tif 000006
【図５】
2016023808.tif 000007
【図６】
2016023808.tif 000008